(57)【特許請求の範囲】
【請求項１】
吐出ノズルが連設された液体充填ボトルと、吐出ノズルとが、吐出ノズルが押し下げられることで、同軸上で近接して、液体充填ボトル内の液体を吐出させる手動ポンプ機構を有する液体吐出容器において、
前記吐出ノズルが連設された液体充填ボトルに被せられる補助具に、該補助具内側に存在する液体充填ボトルに対して少なくとも左右方向の一方より力を作用させることができる押圧部が形成された押さえタブを設けると共に、
該補助具が、前記吐出ノズルの吐出口を塞がず、該補助具の天部の内側が前記吐出ノズル天部と接し、且つ前記液体充填ボトルの下部を液体吐出に必要な移動距離分を残して、液体充填ボトルに対して、上下スライド可能であると共に、回転可能に液体充填ボトルに装着され、
他方液体充填ボトルの上部外周には、前記補助具の押圧部と協働する作用凸部とその下方に該押圧部先端の退避凹部が形成され、該作用凸部及び押圧部の少なくとも一方を、下方に向かって絞られ上方に向かって開く案内傾斜面とすると共に、該押圧部先端の退避凹部の一部に、前記押さえタブの押圧部の使用前休止位置の高さに等しい高さ位置に誤動作防止ストッパを形成し、
該誤動作防止ストッパより外れた押圧部が、前記押さえタブによる少なくとも左右方向の一方からの押圧により、前記作用凸部から押圧部先端の退避凹部に至り、該作用凸部を上方へ押し上げ、液体充填ボトルと前記吐出ノズルとを同軸上で近接させ、液体を吐出させることができると共に、
前記補助具上部と前記液体充填ボトル下部とを上下方向から押圧することによっても液体充填ボトル内の液体を吐出させることができる液体吐出容器。
【請求項２】
上記案内傾斜面が、上記押さえタブの押圧部に形成されたものである請求項1記載の液体吐出容器。
【請求項３】
上記案内傾斜面が、上記液体充填ボトルの作用凸部から上記押圧部先端の退避凹部に形成されたものである請求項1記載の液体吐出容器。
【発明の詳細な説明】
【技術分野】
【０００１】
吐出ノズルが連設された液体充填ボトルと同軸上で近接することで液体を吐出させる手動ポンプ機構を有する液体吐出容器の改良に関するものである。
【背景技術】
【０００２】
従来の液体吐出容器では、ポンプの天面を下方に押すことで、内容物を吐出させるものが主流である。しかし、患部にねらいを定める吐出口のほとんどがノズル先端部にあるため、ポンプを押して、液体を吐出させると、ポンプが上下動してしまいノズル先端の吐出口の位置が上下動してしまっていた。これでは、ねらいを定めた位置から現実の吐出位置がずれてしまい不都合となっていた。
【０００３】
患部にねらいを定めるのが、ノズル先端部の吐出口であるので、ポンプを押してもノズル先端部が動かなければ、位置のずれは生じないため、特許文献１に示されるようにノズル先端の位置を固定させて、左右方向からの押圧力より液体充填ボトルを上昇させ、内容物を吐出させる側面駆動型の流体ディスペンサ装置が提供されてきた。
【０００４】
しかし、特許文献１記載の側面駆動型の流体ディスペンサ装置は、左右方向からの圧力でしか駆動させることができず、上下動による使用が望まれる場合にも、そのような使用方法は用いることができなかった。更に、左右からの圧力で駆動させる方式では、上下の圧力で駆動させる場合に比べ、不本意に作用する場合が多く、誤作動を起こす危険性が高いものであった。
【０００５】
【特許文献１】特表２００５−５０３９７３号公報
【発明の開示】
【発明が解決しようとする課題】
【０００６】
吐出ノズル及び液体充填ボトルに被せる補助具上部と液体充填ボトル下部とを上下方向からの押圧、すなわち従来の使用法も確保された上、押さえタブによる少なくとも左右方向の一方からの押圧により、液体充填ボトルと吐出ノズルとを同軸上で近接させ、液体を吐出させる液体吐出容器を目的に開発したものである。
【課題を解決するための手段】
【０００７】
第１の発明は、上記目的を達成するため、吐出ノズルが連設された液体充填ボトルと、吐出ノズルとが、吐出ノズルが押し下げられることで、同軸上で近接して、液体充填ボトル内の液体を吐出させる手動ポンプ機構を有する液体吐出容器に次の手段を採用した。
第１に、前記吐出ノズルが連設された液体充填ボトルに被せられる補助具に、該補助具内側に存在する液体充填ボトルに対して少なくとも左右方向の一方より力を作用させることができる押圧部が形成された押さえタブを設ける。
第２に、該補助具が、前記吐出ノズルの吐出口を塞がず、該補助具の天部の内側が前記吐出ノズル天部と接し、且つ前記液体充填ボトルの下部を液体吐出に必要な移動距離分を残して、液体充填ボトルに対して、上下スライド可能であると共に、回転可能に液体充填ボトルに装着される。
第３に、他方液体充填ボトルの上部外周には、前記補助具の押圧部と協働する作用凸部とその下方に該押圧部先端の退避凹部が形成され、該作用凸部及び押圧部の少なくとも一方を、下方に向かって絞られ上方に向かって開く案内傾斜面とすると共に、該押圧部先端の退避凹部の一部に、前記押さえタブの押圧部の使用前休止位置の高さに等しい高さ位置に誤動作防止ストッパを形成する。
第４に、該誤動作防止ストッパより外れた押圧部が、前記押さえタブによる少なくとも左右方向の一方からの押圧により、前記作用凸部から押圧部先端の退避凹部に至り、該作用凸部を上方へ押し上げ、液体充填ボトルと前記吐出ノズルとを同軸上で近接させ、液体を吐出させることができる。
第５に、前記補助具上部と前記液体充填ボトル下部とを上下方向から押圧することによっても液体充填ボトル内の液体を吐出させることができる液体吐出容器とする。
【０００８】
更に、第１の発明は、補助具を液体充填ボトルに対して回転可能とすると共に、液体充填ボトルの押圧部先端の退避凹部の一部に、押さえタブの押圧部の使用前休止位置の高さに等しい高さ位置に誤動作防止ストッパを形成する手段を付加したものである。
【０００９】
第２の発明は、第１の発明に、案内傾斜面が、押さえタブの押圧部に形成されることを付加した液体吐出容器であり、第３の発明は、第１の発明に、案内傾斜面が、液体充填ボトルの作用凸部から押圧部先端の退避凹部に形成する手段を付加したものである。
【発明の効果】
【００１０】
第１の発明は、押さえタブによる少なくとも左右方向の一方からの押圧により、液体充填ボトルと吐出ノズルとを同軸上で近接させることにより、液体を吐出させる液体吐出容器であるため、正確な位置に液体を吐出させることができると共に、補助具上部と液体充填ボトル下部とを上下方向から押圧する上下押し方法による利用も可能とした液体吐出容器となった。
【００１１】
更に、第１の発明は、補助具を液体充填ボトルに対して回転可能とすると共に、液体充填ボトルの押圧部先端の退避凹部の一部に、押さえタブの押圧部の使用前休止位置の高さに等しい高さ位置に誤動作防止ストッパを形成する手段を付加したものであるので、不使用時に該ストッパによる使用不可状態を作り出し、自己の意志に反した液体の突出を防止できるものとなった。
【発明を実施するための最良の形態】
【００１２】
以下、図面に従って、実施例と共に本発明の実施の形態について説明する。図１は、液体吐出容器の実施例を示す分解斜視図であり、実施例の液体吐出容器は、噴霧容器本体１と、該噴霧容器本体１に被せられる補助具２と、補助具２のキャップ３とによりなる液体噴霧容器である。
【００１３】
噴霧容器本体１は、本発明における吐出ノズルとなる噴霧ノズル４と横断面円形の液体充填ボトル５とが連設され、両者が同軸上で近接することにより液体を噴霧する手動ポンプ機構８（該機構の詳細は図４及び図５に示される）を有するもので、噴霧ノズル４のノズル天部６を押し下げることで噴霧口７より液体を噴霧するものである。ここまでの構成は特別のものではなく、従前より存在する上下押し方式の液体噴霧容器と変わるところはない。
【００１４】
液体充填ボトル５の上部外周には作用凸部９が円周に沿って形成されており、作用凸部９の下方には退避凹部１０が円周に沿って形成されている。作用凸部９の外径は、液体充填ボトル５の外径よりやや小径に形成されている。実施例では作用凸部９及び退避凹部１０は円周に沿って形成されているが、必要箇所のみ部分的に形成したものであってもよいことは当然である。
【００１５】
退避凹部１０には、誤動作防止ストッパ１１が、後述する押さえタブ１７の押圧部１８が使用前休止位置の高さに等しい高さで形成されている。不使用時の補助具２の押さえタブ１７の押圧部１８は、誤動作防止ストッパ１１に当接しており、補助具２の下降を停止させている。
【００１６】
補助具２は、内径が液体充填ボトル５の外周と適合する内周を有する筒状の胴部１２の上部に吐出空部となる噴霧窓１３を有するノズル収納部１４を形成したもので、ノズル収納部１４の天部が、補助具天部１５となる。尚、該ノズル収納部１４を覆うのがキャップ３である。勿論、このキャップ３は、発明を直接構成するものではない。
【００１７】
補助具２のノズル収納部１４付近の肩部１６には、左右２つの押さえタブ１７が下方に向けて枢着されている。本発明では一方からの押圧が可能であればよいが、実施例では押し易いように左右２つ設けてある。両方の押さえタブ１７の下部の内側には、押圧部１８が設けられており、押圧部１８の内側には内側下方に向かって傾斜する案内傾斜面１９が形成されている。
【００１８】
押圧部１８が位置する付近の補助具２の胴部１２には、押圧部通過窓２０が穿設されている。尚、押圧部１８に形成された係止突起２１は、押圧部通過窓２０に係止して、押さえタブ１７の不使用時に押さえタブ１７を安定させるために設けられている。
【００１９】
補助具２は、補助具天部１５の内側をノズル天部６と接しさせて、液体充填ボトル５に上下動摺動自在に被されている。
【００２０】
以下、実施例の使用方法と共に実施例の動作について説明する。使用前の実施例は、図２に示されるように補助具２に上部にキャップ３が被されている。このとき補助具２の押さえタブ１７の押圧部１８は、誤動作防止ストッパ１１に当接しており、押さえタブ１７は作動できず、補助具２が液体充填ボトル５に対して下降する危険性がない。
【００２１】
使用に際しては、先ず図３に示されるようにキャップ３を補助具２から外し、補助具２と液体充填ボトル５とを回転させ、押圧部１８を誤動作防止ストッパ１１の位置から外す。その後、左右の押さえタブ１７の押圧部１８の反対側より、内側に向かって押圧する。押さえタブ１７は、補助具２の肩部１６に枢着されているため、肩部１６を中心として押圧部通過窓２０を通過して内側に向かって移動する。
【００２２】
内側に向かって移動すると押圧部１８の案内傾斜面１９が、液体充填ボトル５の作用凸部９に当接し押圧する。案内傾斜面１９と作用凸部９の当接状態で、図４に示すような状態となる。押圧を継続すると、案内傾斜面１９は作用凸部９の上を滑り、更に内側に進入し、退避凹部１０側に至る。このとき案内傾斜面１９は、内側下方に向かって傾斜しているので、液体充填ボトル５の作用凸部９は案内傾斜面１９に沿って相対的に上方へ押し上げられている。
【００２３】
液体充填ボトル５が押し上げられた場合にも、液体充填ボトル５の上部に装着されたポンプ機構８のノズル天部６は補助具２の補助具天部１５により押さえられており上昇できないため、噴霧ノズル４と液体充填ボトル５が同軸上で近接し、ポンプ機構８が作動し、噴霧ノズル４の噴霧口７より液体充填ボトル５内の液体を噴霧することになる。
【００２４】
更に、通常の噴霧容器のように利用したい場合には、キャップを外し、押圧部１８を誤動作防止ストッパ１１からずらして外し、通常のように補助具天部１５を下方に押せば、補助具２は、液体充填ボトル５外周を下方へスライドし、補助具天部１５がノズル天部６を押し下げ、噴霧ノズル４と液体充填ボトル５が同軸上で近接し、噴霧ノズル４の噴霧口７より噴霧することになる。
【００２５】
尚、実施例は噴霧容器の場合であったが、噴霧容器に限るものではない。例えば図６乃至図９に示されるような通常の液体吐出容器であってもよい。又、本実施例は、押さえタブ１７に案内傾斜面１９を設けたものであるが、図８に示されるように作用凸部２９と退避凹部３０とにより案内傾斜面３９を形成したものであってもよい。
【図面の簡単な説明】
【００２６】
【図１】．．．．．．液体吐出容器の実施例を示す分解斜視図
【図２】．．．．．．同実施例のキャップを閉めた状態の斜視図
【図３】．．．．．．同実施例のキャップを外した状態の斜視図
【図４】．．．．．．同実施例の液体吐出前の状態の断面図
【図５】．．．．．．同実施例の液体吐出中の状態の断面図
【図６】．．．．．．液体吐出容器の他実施例を示す正面図
【図７】．．．．．．同実施例の平面図
【図８】．．．．．．同実施例の液体吐出前の状態の断面図
【図９】．．．．．．同実施例の液体吐出中の状態の断面図
【符号の説明】
【００２７】
１．．．．．．．．噴霧容器
２．．．．．．．．補助具
３．．．．．．．．キャップ
４．．．．．．．．噴霧ノズル
５、２５．．．．液体充填ボトル
６．．．．．．．．ノズル天部
７．．．．．．．．噴霧口
８、２８．．．ポンプ機構
９、２９．．．作用凸部
１０、３０．．退避凹部
１１．．．．．．．誤動作防止ストッパ
１２．．．．．．．胴部
１３．．．．．．．噴霧窓
１４．．．．．．．ノズル収納部
１５．．．．．．．補助具天部
１６．．．．．．．肩部
１７．．．．．．．押さえタブ
１８．．．．．．．押圧部
１９、３９．．案内傾斜面
２０．．．．．．．押圧部通過窓
２１．．．．．．．係止突起
２４．．．．．．．吐出ノズル
２７．．．．．．．吐出口
【図１】
0004840569.tif 000002
【図２】
0004840569.tif 000003
【図３】
0004840569.tif 000004
【図４】
0004840569.tif 000005
【図５】
0004840569.tif 000006
【図６】
0004840569.tif 000007
【図７】
0004840569.tif 000008
【図８】
0004840569.tif 000009
【図９】
0004840569.tif 000010